(57)【要約】      （修正有）【課題】磁石粒またはゲルマニウム粒を配列固着することにより、装着部位の凝りおよび血行を改善し血液の循環を促進する腰用ベルト・ひざ用サポーター・腹巻等の身体着用具を提供する。【解決手段】弾力性を有する布地等の素材を用いて略帯状に製せられ、平板状の身体と直接接触する部位には複数の台座付磁石粒または台座付ゲルマニウム粒２を適宜間隔でリング状覆布３を介して配列固着されているものとし、さらに弾力性を有する布地等の素材を用いて略筒状に製せられ、曲面状の内面側には複数の台座付磁石粒または台座付ゲルマニウム粒２を適宜間隔でリング状覆布３を介して配列固着されていることを特徴とする身体着用具。【選択図】図１
0003144687.tif 000002
【実用新案登録請求の範囲】
【請求項１】
弾力性を有する布地等の素材を用いて略帯状に形成される主体部に、複数の磁石粒またはゲルマニウム粒を取付けた台座を適宜間隔で配列固定して、その周囲に前記台座を被覆するリング状覆布を装着して、磁石粒またはゲルマニウム粒の先端部のみを露出してなる身体着用具。
【請求項２】
前記主体部が略筒状に形成されて、その内側面に複数の磁石粒またはゲルマニウム粒を配列固定してなる請求項１に記載の身体着用具。
【考案の詳細な説明】
【技術分野】
【０００１】  本考案は、血行を良くし筋肉の凝りを解消し、血液の循環を促進するための腰用ベルト・ひざ用サポーター・腹巻等の身体着用具に関するものである。
【背景技術】
【０００２】  従来、肩や首、腰部、ひざ部には凝りや血液の循環に支障をきたす様々な症状がみられこれらを解消するため、粒状のフェライト磁石やネオジウム磁石等が多く用いられてきた。【０００３】  最近は新たに円錐形に加工された高純度のゲルマニウム粒が登場し、粒状のフェライト磁石やネオジウム磁石等と同様に円形の絆創膏類を用いて肌に直接貼付して使用されている。
【考案の開示】
【考案が解決しようとする課題】
【０００４】  円形の絆創膏により、磁石粒やゲルマニウム粒を肌に直接貼付する方法は、簡便であるが着脱に手間が掛かったり、使用中に円形の絆創膏が剥がれて磁石粒やゲルマニウム粒を紛失したりすることがある。また着用者の体質・体調によっては円形の絆創膏によってかゆみやかぶれを発症した例がある。【０００５】  既に一部で実用化されている加熱溶融型の合成樹脂からなる固定方法が有るが合成樹脂が直接皮膚に触れるため肌の弱い人やアレルギー体質の人の中にはかぶれ等の皮膚障害を発症した人もいる。
【課題を解決するための手段】
【０００６】  本考案に係る身体着用具は、弾力性を有する布地等の素材を用いて略帯状に形成される主体部の身体と直接接触する部位に、複数の磁石粒またはゲルマニウム粒を適宜間隔でリング状覆布を介して配列固着してなることを特徴とする。【０００７】  さらに、前記主体部が略筒状に形成されて、その内側面に複数の磁石粒またはゲルマニウム粒を固着してなるものである。
【考案の効果】
【０００８】  本考案に係る、腰用ベルト・ひざ用サポーター・腹巻等の素肌あるいは下着類を介して身体に触れる身体着用具は台座付磁石粒や台座付ゲルマニウム粒をリング状覆布で製品に固着し、磁石粒やゲルマニウム粒の先端部を露出することにより身体への接触をより確実なものとし、さらに磁石粒やゲルマニウム粒の剥離を防止するとともに随時の使用が可能である。【０００９】  さらに、これらの腰用ベルト・ひざ用サポーター・腹巻等の身体着用具には、磁石粒やゲルマニウム粒を製品に固着することにより、生体に常時接触して装着部位の凝りおよび血行の改善を促進し、緩解する効果がある。
【考案を実施するための最良の形態】
【００１０】  図１は、本考案に係る身体着用具である腰用ベルトを示す正面図、図２はひざ用サポーターを示す部分断面図、図３は腹巻を示す部分断面図。図４は磁石粒またはゲルマニウム粒と金属製台座との組立構造を示す拡大図、図５は台座付磁石粒またはゲルマニウム粒の主体部への固着状況を示す図である。【００１１】  本考案に係る、身体着用具は略帯状または略筒状に形成される身体着用具主体部１の身体に直接接触する部位に、複数の磁石粒またはゲルマニウム粒４を適宜間隔で、リング状覆布３を介して配列固着される。この磁石粒またはゲルマニウム粒４は主体部１との固着を確実なものとするためステンレス等の金属製台座５で固定されている。【００１２】  リング状覆布３は布地の裏側に平面状の熱融着型固定材を張り合わせて使用することにより、熱融着型固定材が肌に直接触れることなく磁石粒やゲルマニウム粒４を固定することができ、結果として肌の弱い人や敏感肌の人も安心して使用することができる。【００１３】  さらにリング状覆布３は、磁石粒やゲルマニウム粒４の先端部分を露出させると同時に生体への常時接触をより確実なものとする。【００１４】  図１は、身体着用具として腰用ベルトに用いた場合を示すもので、弾力性を有する布地等の素材を用いて略帯状に整せられ、身体と直接接触する平板状の主体部１（１ａ）には綿またはポリエステルの布地が設けられ、金属製の台座５に取付けられた複数の磁石粒またはゲルマニウム粒４を適宜間隔でリング状覆布３により金属製の台座５を被覆するように固着されている。【００１５】  図２は、身体着用具としてひざ用サポーターに用いた場合を示すもので、略筒状の内面側主体部１（１ｂ）に金属製の台座５に取付けられた複数の磁石粒やゲルマニウム粒４を適宜間隔でリング状覆布３を介して配列固着されている。【００１６】  図３は、身体着用具として腹巻に用いた場合を示すもので、弾力性を有する略筒状の内面側主体部１（１ｃ）に金属製の台座５に取付けられた複数の磁石粒やゲルマニウム粒４を適宜間隔でリング状覆布３を介して配列固着されている。【００１７】  さらに、腰用ベルト１（１ａ）・ひざ用サポーター１（１ｂ）・腹巻１（１ｃ）等の身体着用具は磁石やゲルマニウムの効果に加え綿やポリエステルの生地に遠赤外線効果等を助長するカーボンやセラミックスの微粉末を発泡させる表面加工を施すことにより装着部位の凝りおよび血行の改善効果をさらに高めることができる。【００１８】  この本考案に係る、身体着用具である腰用ベルトの端部には面ファスナーのような止着手段を有する保持部が両端部それぞれに形成され、使用者の体型に合わせて自在な着脱が可能となる止着方法を採用している。【００１９】  身体着用具としてのひざ用サポーターの側部は、形状により面ファスナーやファスナー等を設けることにより滑らかな着脱を可能としている。【００２０】  また、身体着用具としての腹巻は弾力性を有する布地を用いて伸縮性を高め略筒状に製せられ、着用者の体型に合わせて自在な着脱を可能としている。【００２１】  身体着用具である腰用ベルトの身体と直接接触する主体部１（１ａ）には、図１に示すように複数個の台座付磁石粒や台座付ゲルマニウム粒２が幅方向または長さ方向に台座付磁石粒または台座付ゲルマニウム粒２より大径のリング状覆布３を介して整列状に配列固着される。【００２２】  身体着用具であるひざ用サポーターは、図２に示すようにその内側面主体部１（１ｂ）に複数個の台座付磁石粒や台座付ゲルマニウム粒２が幅方向または長さ方向に台座付磁石粒または台座付ゲルマニウム粒２より大径のリング状覆布３を介して整列状に配列固着される。【００２３】  身体着用具である腹巻の内側面主体部１（１ｃ）の２箇所−腹部および背部を含む−には、複数個の台座付ゲルマニウム粒２が幅方向または長さ方向に台座付磁石粒または台座付ゲルマニウム粒２より大径のリング状覆布３を介して整列状に配列固着される。【００２４】  台座付磁石粒または台座付ゲルマニウム粒２の構造詳細は図４に示すように磁石粒またはゲルマニウム粒４にステンレス等の金属製の台座５を取付けたものである。【００２５】  図５はリング状覆布３の形状を示すと同時に台座付磁石粒または台座付ゲルマニウム粒２の製品本体への取付要領を示す。また、磁石粒はメッシュ生地６で覆うこともできる。さらに、リング状覆布の色彩を変えたりすることは任意である。
【図面の簡単な説明】
【００２６】
【図１】は、本考案による腰用ベルトである身体着用具を示す正面図。
【図２】は、ひざ用サポーターである身体着用具を示す部分断面図。
【図３】は、腹巻である身体着用具を示す部分断面図。
【図４】は、磁石粒またゲルマニウム粒の金属製台座への取付状態を示すもので                                      （イ）は平面図、（ロ）は断面図。
【図５】は、金属製台座を取付けた磁石粒またはゲルマニウム粒の身体着用具                            主体部への固着状態を示す展開斜視図である。
【符号の説明】
【００２７】１  身体着用具主体部    （１ａ）腰用ベルトの主体部    （１ｂ）ひざ用サポーターの主体部    （１ｃ）腹巻の主体部２  台座付磁石粒または台座付ゲルマニウム粒３  リング状覆布４  磁石粒またはゲルマニウム粒５  金属製台座６  メッシュ生地
【図１】
0003144687.tif 000003
【図２】
0003144687.tif 000004
【図３】
0003144687.tif 000005
【図４】
0003144687.tif 000006
【図５】
0003144687.tif 000007